(57)【要約】【課題】  インキの色が目視で確認できるだけでなく、筆記具全体としての色彩感覚に富んだ筆記具を提供する。【解決手段】回転子を利用するダブルノック式の出没機構のノック式筆記具において、軸筒およびレフィールのインキ筒を透明ないし半透明の合成樹脂で成形し、出没機構の回転子、ノック部材、ノックカバーをインキ筒に充填されたインキと同色の合成樹脂で成形し、回転子をインキ筒の尾端部に固着して出没機構をレフィールと一体化する。また、ノックカバーをノック部材に着脱可能とし、交換用の前記レフィールは、ノック部材から取り外したノックカバーをレフィール先端のペン体部に嵌着してキャップとして利用する。【選択図】  図２
2007130961.tif 000002
【特許請求の範囲】
【請求項１】
軸筒内面に形成されたカム筒に沿って前進する回転子、回転力を付与しながら該回転子を前進させるノック部材、ノック部材に嵌着されるノックカバーからなるダブルノック式の出没機構により軸筒内に搭載されたレフィール先端のペン体部を軸筒の先端開口から出没させるノック式筆記具において、
前記軸筒およびレフィールのインキ筒は透明ないし半透明の合成樹脂で成形され、該出没機構の回転子、ノック部材、ノックカバーが該インキ筒に充填されたインキと同色の合成樹脂で成形され、かつ、該回転子はインキ筒の尾端部に固着されて該出没機構がレフィールと一体化したことを特徴とするノック式筆記具。
【請求項２】
前記ノックカバーはノック部材に着脱可能であり、交換用の前記レフィールは、ノック部材から取り外されたノックカバーがレフィール先端のペン体部に嵌着されてキャップとして利用されることを特徴とする請求項１記載のノック式筆記具。
【発明の詳細な説明】
【技術分野】
【０００１】
本発明は、回転子を使用するダブルノック式の出没機構によりペン体部が出没するノック式筆記具に関するものである。
【背景技術】
【０００２】
ノック式筆記具、例えばノック式ボールペンのボールペンレフィール出没機構は回転子を使用するダブルノック式の出没機構が多用されている。この出没機構は、レフィール先端の軸筒先端開口からのペン体部の突出操作および没入操作とも、軸筒の尾端から突出するノックカバーを押圧する同じノック操作により行うことができる利点を有する。
【０００３】
かかる出没機構は、スプリングにより尾端側に弾発されたレフィールの後端が回転子に当接しており、軸筒の尾端から突出したノッカバーを押圧するノック操作を行うと、ノックカバーが嵌着されたノック部材前端のカム歯が回転子に形成されたカム歯に歯合して回転子に回転力を付与するとともに、回転子を軸筒の内面に形成されたカム筒の縦溝に沿って前進させる。回転子がカム筒を抜け出すと、レフィール先端のペン体部が軸筒の先端開口から突出し、回転子はフリー状態になるので回転方向に僅かに回転し、カム筒の突部先端が回転子の係止部に係止すると筆記可能になる。そして、この状態から再びノック操作を行うと、カム筒の突部先端と回転子の係止部との係止が解除されて回転子がカム筒の縦溝に沿って後退するのでペン体部が軸筒内に没入する。
【特許文献１】実公昭３８−１８６２２号公報
【発明の開示】
【発明が解決しようとする課題】
【０００４】
ところで最近は、インキの多色化が進み、軸筒およびレフィールのインキ筒を透明ないし半透明の合成樹脂で成形してインキの色を目視で確認できるようにした色彩感覚が豊かな筆記具が数多く実用化されている。しかし、回転子やノック部材などの出没機構の部品は例えば黒色の合成樹脂で成形されるので、インキの色によっては出没機構の部品の色とマッチせず、筆記具全体としての色彩感覚に違和感のある筆記具となっていた。
【０００５】
そこで本発明は、インキの色が目視で確認できるだけでなく、筆記具全体としての色彩感覚に富んだ筆記具を提供することを目的とする。
【課題を解決するための手段】
【０００６】
かかる目的を達成するために、請求項１は、軸筒内面に形成されたカム筒に沿って前進する回転子、回転力を付与しながら該回転子を前進させるノック部材、ノック部材に嵌着されるノックカバーからなるダブルノック式の出没機構により軸筒内に搭載されたレフィール先端のペン体部を軸筒の先端開口から出没させるノック式筆記具において、軸筒およびレフィールのインキ筒を透明ないし半透明の合成樹脂で成形し、出没機構の回転子、ノック部材、ノックカバーをインキ筒に充填されたインキと同色の合成樹脂で成形し、回転子をインキ筒の尾端部に固着して出没機構をレフィールと一体化する。
また、請求項２の発明は、請求項１のノック式筆記具において、ノックカバーをノック部材に着脱可能とし、交換用の前記レフィールは、ノック部材から取り外したノックカバーをレフィール先端のペン体部に嵌着してキャップとして利用する。
【発明の効果】
【０００７】
出没機構の回転子、ノック部材、ノックカバーをインキ筒に充填されたインキと同色の合成樹脂で成形し、回転子をインキ筒の尾端部に固着して出没機構をレフィールと一体化するので、インキの色が目視で確認できるだけでなく、筆記具全体としての色彩感覚に富んだ筆記具となる。そして、インキの色が異なるレフィールに交換してもその出没機構の部品の色がインキの色と同色であるので、常に筆記具全体としての色彩感覚に富んだ筆記具となる。
【０００８】
請求項２のように、ノックカバーをノック部材に着脱可能にしておくと、交換用のレフィールは、ノック部材からノックカバーを取りしてレフィール先端のペン体部に嵌着することによりキャップとして利用可能であるので、交換用レフィールのペン体部を保護するとともにインキの蒸発などを防止することができる。
【発明を実施するための最良の形態】
【０００９】
以下に図面に基づいて本発明を実施するための最良の形態を説明する。図１において、透明な合成樹脂にてクリップ１６と一体に筒状に成形された軸筒１０の内周面には複数本の縦リブ１４が形成され、これらの縦リブ１４と縦リブ１４の間の縦溝によってカム筒が構成されている。縦リブ１４の尾端側の環状突起がレフィール２０の抜け止め段部１５である。そして、軸筒１０の先端開口には中心孔１２を有する先口１１が着脱自由に螺着されている。先口１１の内部にはコイルスプリング３０の一端が係止する係止段１３が形成されている。コイルスプリング３０はその一端部が係止段１３の周壁に圧入された状態で先口１１に保持されている。
【００１０】
レフィール２０のインキ筒２１は透明な合成樹脂により筒状に成形されたものであり、内部には図示しないインキが充填されている。したがって、インキの色を透明なインキ筒２１および軸筒１０を介して目視することができる。インキ筒２１先端には継ぎ手２２が嵌着されており、継ぎ手２２の中心孔にはペン体部２３が嵌着されている。ペン体部２３はステンレスで砲弾型に成形されたものであり、先端のボールハウスに例えば直径が０．５ｍｍφの超硬合金からなるボールが回転自由に抱持されたボールペンである。継ぎ手２２にはインキ筒２１に嵌着する際の位置決め部材である鍔部２４が形成されており、鍔部２４の前面がコイルスプリング３０の他端部を受ける前向き段部２５である。つまり、レフィール２０は先口１１の係止段１３とレフィール２０の前向き段部２５の間に介装されたコイルスプリング３０により尾端側に弾発されている。
【００１１】
ダブルノック式の出没機構は、周知のとおり、回転子４０、ノック部材５０、ノックカバー６０で構成されており、これらの部品はインキ筒２１に充填されたインキと同色の合成樹脂、例えばインキ筒２１に青色インキが充填されていると青色の合成樹脂で成形されている。回転子４０にはカム歯４１が形成され、また、径方向に突出する案内突起４２が形成されている。ノック部材５０の先端にもカム歯５１が形成され、外周に抜け止め突起５２が形成されている。そして、回転子４０の尾端部にテーパー状の係止鍔部４３が形成されており、回転子４０の尾端部をノック部材５０内に差し込むと、その過程で係止鍔部４３によってノック部材５０の尾端部が弾性変形して拡大し、係止鍔部４３がノック部材５０の尾端部を突き抜けると尾端部が復元してノック部材５０と回転子４０は分離できないようになる。ノックカバー６０内部の奥底部には複数本の縦リブ６１形成されており、縦リブ６１の仮想内接円の直径はペン体部２３の外径に等しくなっている。そして、このノックカバー６０がノック部材５０に着脱可能に嵌着されている。
【００１２】
回転子４０の先端円柱部４４がインキ筒２１の尾端開口に圧入されており、回転子４０、ノック部材５０、ノックカバー６０からなる出没機構がレフィール２０と一体化されている。前述のとおり、回転子４０、ノック部材５０、ノックカバー６０がインキ筒２１に充填されたインキと同色の合成樹脂で成形されているので、色彩感覚に富んだレフィール２０となっている。そして、回転子４０の案内突起４２はカム筒の縦リブ１４の間の縦溝に嵌め込まれており、ノックカバー６０を押圧すると回転子４０のカム歯４１とノック部材５０のカム歯５１が歯合し、回転子４０は回転力を付与された状態で前進する。案内突起４２がカム筒を抜け出すと、レフィール２０先端のペン体部２３が先口１１の中心孔１２から突出し、回転子４０はフリー状態になるので回転方向に僅かに回転し、案内突起４２がカム筒の縦リブ１４の先端に係止すると筆記可能になる。そして、この状態から再びノック操作を行うと、カム筒の縦リブ１４先端と案内突起４２との係止が解除されて回転子４０がカム筒の縦溝に沿って後退し、ペン体部２３が先口１１内に没入する。
【００１３】
図２は交換用のレフィール２０を示すが、この回転子４０、ノック部材５０、ノックカバー６０もインキ筒２１に充填されたインキと同色の合成樹脂、例えばインキ筒２１に赤色インキが充填されていると赤色の合成樹脂で成形されている。そして、ノックカバー６０の縦リブ６１がペン体部２３に嵌着されており、ノックカバー６０は交換用レフィール２０のキャップとして利用されている。したがって、ペン体部２３を保護するとともにインキの蒸発を防止し、また、インキが不用意に洋服などに付着することもない。
【００１４】
レフィール２０を交換するときは、図１に示す状態からノックカバー６０をノック部材５０から引き抜いて取り外し、先口１１を軸筒１０から取り外すと、レフィール２０を軸筒１０の先端開口から抜き出すことができる。そして、前記の交換用レフィール２０を軸筒１０に搭載するには、ノックカバー６０をペン体部２３から外して軸筒１０の先端開口から指し込み、先口１１を軸筒１０に螺着するともにノックカバー６０をノック部材５０に嵌着すればよく、きわめて簡単に交換することかできる。従って、インキの色が異なる複数本の交換用レフィールを準備しておくと、多色用の組筆記具として利用でき、しかも軸筒１０などは１個でよい利点がある。
【図面の簡単な説明】
【００１５】
【図１】本発明実施例の断面図である。
【図２】交換用レフィールの断面図である。
【符号の説明】
【００１６】
１０    軸筒
１１    先口
２０    レフィール
２１    インキ筒
２２    継ぎ手
２３    ペン体部
３０    コイルスプリング
４０    回転子
５０    ノック部材
６０    ノックカバー
【図１】
2007130961.tif 000003
【図２】
2007130961.tif 000004